(57)【要約】      （修正有）【課題】人体相互移乗の課題は非力者の移乗時に関してどうしてもある程度踏ん張りと力は必要とされていた。テコの原理を利用し上下回転運動で非力の介護者でも簡単に容易に、相互移乗ができる人体相互移乗装置を提供する。【解決手段】マット本体１はキャッシャー７ａを有する丸型のフレーム台座枠１１に主柱４を立設し、回転軸棒３の左右両端にブレーキ歯車１３を装着する。マット本体はテコの原理を応用して非力の介護者でも簡単に容易に持ち上がる。また移乗者を腰掛けた自然の姿勢でマット本体に寄りかかるように覆いかぶさって移乗するので無理な動きが無く恐怖心を与えない。【選択図】図１
2005021178.tif 000002
【特許請求の範囲】
【請求項１】
キャスターを有するフレーム枠台座に、主柱を立設  回転軸棒に左右両端のブレーキ歯車を装着一体とする。人体のヘソの位置を目安に  本発明マット本体を取り付け  人体のヘソの位置で上下回転することによりテコの力学が働き移乗者が簡単に相互移乗できる。本発明のマットの形は、人体の背中のように形状  移乗者が寄りかかって  心地良い快感を与えるような丸みとする。本発明マット本体を上下回転操作するハンドルに移乗者の頭部を支える。  開閉可能な二重張りシートを装着この間にクッション材を（図に示せず）を挟み入れ移乗時のクッション枕にして  長い時間の快適な相互移乗を図る。テコの原理で人体を救うように持ち上げ、本発明のマット本体をハンドル操作にて上下回転で安定位置を定め  噛み合わせ歯車ブレーキ（図に示せず）で固定、台座と移乗者の安定を図り  移乗者の体重に関係なく相互移乗を可能にし  介護人の負担を楽にする移乗装置を提供する。
【請求項２】
移乗者の尻を持ち上げる必要として、人体の手のひらのように
【請求項３】
の下部の位置に取り付けた尻受板を  移乗者前より車椅子  座部シートと移乗者のお尻の間をすべり込ませ、移乗者のお尻を支え  相互移乗の上げ下げの補助と安定を図るお尻受板を提供する。
【発明の詳細な説明】
【０００１】
【発明が属する技術分野】
本発明は、脚の弱った老人、肢体の不自由者等を車椅子からの他の座席との相互移乗に関する相互移乗装置である。
【０００２】
【従来の技術】
従来の相互移乗装置には、種々の  発明考案が成されているが  多くの発明と製品には手間と動力がかかりすぎて  現実には、介護者の知恵と体力に変わる発明製品が有りませんでした。
【０００３】
【発明が解決しょうとする課題】
移乗装置において、相互移乗の移動には重い人体と移乗装置の安定感が課題となる。介護者が人体を力で持ち上げる動作をするにいたって、大きな力と踏ん張りが必要となり、移乗装置にも同様の措置が生じ  安全性と安定のためそれ相当の重量と固定が必要となるために、相互移動範囲が限られてしまいます。介護移乗に非力な介護者が、介護専門職と同じ動作で相互移乗をするには危険で無理があります。本発明が解決しようとする課題は人体の相互移乗装置において  重い人体の移乗者を、介護人と移乗者に不安と苦痛を与えずに  楽に簡単容易に使いこなせる移乗装置である。＜イ＞．テコの原理を応用し強力な力を必要とせず重い人体でも簡単に持ち上げ  上げ下げを可能にする。＜ロ＞．
【図１】
【図３】
【図５】の示す本発明マット本体（１）が人体の背中の丸みをした形状のため、ウツブセにオンブされた子供のように自然な姿勢で寄りかかり安心感を得られる。＜ハ＞介護者の負担を軽減し、安全  安心  簡単小型で場所を選ばない装置で、本発明台座に  大きな、車輪（キャスターを含む）を採用して長距離や野外への移動も可能である。
【０００４】
【課題を解決するための手段】
キャスター（７）を有する台座（１１）に主柱（４）を立設、回転軸棒（３）に左右両端一体にブレーキ歯車（１３）を装着。移乗時に移乗者（９）のヘソの位置を目安に  上下回転運動をかねた  本発明マット本体（１）を取り付ける。移乗者（９）のヘソの位置で上下回転運動する特徴をもつ  テコの原理が働き移乗者（９）の重い体重に関係なく尻が浮き上がるように、簡単に楽に持ち上がり介護者の大きな体力を必要としない。尻を支える受板（２）を、【図２】の示す移乗者（９）側の本発明マット本体（１）先（１ｄ）に取り付けた  人体の手のひら状で【図４】の示す移乗者の尻を持ち上げる特徴とした装置により快適な相互移乗を提供する。
【０００５】
【発明の実態の形態】
以下図面を参照しながら、本発明のテコの原理を応用利用した介護移乗装置について説明する。
【０００６】
【図１】
【図３】
【図５】に示すように  本発明の移乗装置マット本体（１）は、キャスター（７）を有する丸型のフレームか角型のパイプ枠台座に主柱（４）を立設。  これに回転軸棒（３）左右両端に一体となるブレーキ歯車（１３）を装着。これにテコの力学が働くように人体のヘソの位置を目安に  本発明マット本体（１）を取り付けることによって小さな力で、重い人体の移乗者を持ち上げ相互移乗を容易にする。
【０００７】
【図１】に示すように、本発明マット本体（１）を人体の背中を模った形にして丸みとする。  表面材質は人体の肌の硬さを目安とした  硬質と軟質の軟性素材を組み合わせて構成したクッション材を採用することが考えられる。
【０００８】
【図２】・
【図３】・
【図４】示すように、移乗者（９）が楽な姿勢で腕をぶら下げた状態になるように、本発明マット本体（１）に移乗者（９）の脇部の位置に脇当て（１ａ）を設ける。移乗者の体格によって脇部の位置が異なるため
【図２】・
【図４】・
【図６】の示す移乗者（９）の脇と脇当（１ａ）位置に大きく余裕を設けても機能性は失われない。
【０００９】
【図２】の示す本発明マット本体（１）の移乗者（９）側に位置する足付け根の収納部（１ｂ）を有し人体を  持ち上げる時に、足の付け根と収納部（１ｂ）が強い接触をさける形状にして  長距離や相互移乗時に負担が掛からないように多少調整が必要となる。
【００１０】
【請求項４】人体の尻支え装置は、人間の手の薄く平状に形とした支え受板（２）である。  この（２）装置を配置につき移乗者（９）には  心理的に多少抵抗感が生じるが  移乗時の快適さで解消  解決さでる。事前に移乗者の座部に支え受板（２）を収納できる  マットシート（図に示さず）を敷き  設けた収納穴に受板（２）を配置して  マットシートごと持ち上げ方式の採用もできる。
【００１１】
【図２】
【図３】示す移乗者（９）の頭部顔面に位置し、本発明のハンドル（５ｂ）を利用  クッション枕を収納（６）できる二重張りの網か直接肌に接するために肌に優しい  素材
【図４】の（６）が示す位置に採用、利用者の好みに合わせてクッシヨン枕の大きさを選択ができ  取り替え可能とする。複数の人が使用者の場合、
【図６】示す  枕  収納（６）位置を本発明マット（１）の素材にして一体化とする。
【００１２】
本発明マット本体（１）は回転部中心的位置にあり、主柱（４）に回転軸棒（３）と一体のブレーキ歯車（１３）を装着、
【図３】の示す本発明マット（１）を人体のヘソを目安に取り付け上下回転させて  テコの原理を応用し移乗者（９）を持ち上げる中心位置で重心の集中する位置でもある。
【図５】の示す回転軸棒（３）に取り付けた本発明マット本体（１）を  移乗者（９）の高低位置に合わせて上げ下げ機能を採用することもかんがえられる。
【００１３】
【実施例】
本発明の実施例について図面を参照して説明する。
【図１】．
【図２】．
【図３】．
【図４】．
【図５】．
【図６】．について、台座（１１）にキャスター（７）を有し主柱（４）に補強材（４ａ）と支柱（４ｂ）を有し台座の強度を図り、回転軸棒（３）とブレーキ歯車（１３）を一体化し
【図５】が示す主柱を主体に  人体のヘソを目安に取り付けたマット本体（１）上下回転機能有し、上げ下げ移動機能を採用  移乗者（９）の（図に示さず）高低の位置に合わせ
【図２】の示す本発明マット本体（１）を移乗位置に合わせ
【図３】・
【図４】の示す  マット本体（１）表面と移乗者（９）との密着を図り保持具（１５）で止め  移乗者（９）の不安感  恐怖感を一掃できる。
【００１４】
【図１】．
【図３】．
【図５】で示すように、ブレーキレバー（５）を容易に操作出来るように自転車ブレーキ方式で取り付け  ブレーキ歯車（１３）とワイヤー（図面示さず）で連結。台座フレーム（１１ｂ）は丸く加工  取り付けて  車椅子（８）の車輪タイヤ（１２）の進入  配置に障害物にならない工夫  また移乗者（９）の足掛け台になる工夫でもある。前文
【００１５】本発明のマット本体（１）は人体の背中のように丸みを付けた形を特徴とする。快適を図るために表面材質は  硬質と軟質の軟性素材を組み合わせて、  クッション材を採用し体格の異なる複数の移乗者が用いても  快適な相互移乗装置を提供ができる。
【００１６】
【図３】が示す【請求項５】の尻支え装置、受板（２）を本発明マット本体（１）に取り付け、移乗時  受板（２）装置で尻に当てて相互移乗することにより精神的に不安感が消えて快適感を提供する、
【００１７】
【発明の効果】
本発明は、以上説明したように構成されている移乗者（９）が腰掛けた自然の姿勢のままで、本発明マット本体（１）の移乗部の先端に【請求項６】の尻支え受板（２）を装着した装置を、車椅子と移乗者（９）の尻の間を滑りこませ尻を支える。この装置を配置するにいたって当初抵抗感があるが、尻を支えることにより移乗時の快適さで精神的な不安感や恐怖が解消される。本発明マット本体の特徴として人体の背中の丸みの形にすることにより、母親の背中にオンブされた子供のように、快適な安心感を得ることができる。本発明は相互移乗に関して介護者が非力の女性でも簡単で容易にするため、キャスターを有する台座に主柱を中心にて本発明マット本体を人体のヘソを目安に取り付け、テコの原理を応用利用して非力で簡単に持ち上げて相互移乗ができる効果を提供する。
【図面の簡単な説明】
【図１】本発明と（移乗者を示さず）車椅子を配置した側面図である。
【図２】網状の枕  収納袋と  本発明マット本体の裏側を示し（車椅子を示さず）移乗者側への配置と、位置を示した全体平面図である。
【図３】移乗者を車椅子より持ち上げた  移乗状態を示す側面図である。
【図４】移乗時の状態と枕収納袋を示した平面図である。
【図５】台座に立設した主柱に本発明マット本体を取り付け上げ下げを示した側面図である。
【図６】枕、収納袋の部分をマット本体と一体化を示した全体平面図である。
【符号の説明】
マット本体
１ａ      脇当
１ｂ      足  付け根の収納部
尻支え装置  受板
回転軸棒
主柱
４ａ    主柱  補強材
４ｂ    支柱材
ハンドル
５ａ    マット本体の骨格のフレーム
６    枕  収納袋
７ａ    キャッシヤー
７ｂ      車輪
８ａ      車椅子の座部シート
９        移乗者
１０      ブレーキレバー
１１      フレーム台座枠
１１ａ    足賭けフレーム台
１２      車椅子タイヤ
１３      ブレーキ歯車
１４ａ    介護側の回転範囲矢印
１４ｂ    移乗者側の回転範囲矢印
１４ｃ      ブレーキレバー回転範囲矢印
１４ｄ  マット本体の上げ下げ範囲矢印
保持具
【図１】
2005021178.tif 000003
【図２】
2005021178.tif 000004
【図３】
2005021178.tif 000005
【図４】
2005021178.tif 000006
【図５】
2005021178.tif 000007
【図６】
2005021178.tif 000008